(57)【要約】      （修正有）【課題】ナノワイヤを形成したデバイスの新たな製造方法を提供する。【解決手段】デバイス１は、ナノワイヤ５を形成したナノワイヤ形成面２１を含む第１部材２と、蓋部材として機能する第２部材３と、加熱圧着により第１部材および第２部材に接合する機能を有する均質な材料からなり、且つ、貫通溝４１を有する第３部材４と、を含み、製造方法は、第１部材のナノワイヤ形成面と第２部材の第１面との間に第３部材が位置するように積層する積層工程と、第１部材と第３部材、および、第２部材と第３部材を加熱圧着により接合することで、第１部材のナノワイヤ形成面と、第２部材の第１面と、第３部材の貫通溝の壁面とで、流路を形成する接合工程と、を含み、第２部材の第１面の流路を形成する部分が、非平面領域を含み、流路内に、第１部材に形成されたナノワイヤと第２部材に形成された非平面領域が配置されている、ナノワイヤを形成したデバイスの製造方法。【選択図】図１
2020148739.tif 000002
【特許請求の範囲】
【請求項１】
ナノワイヤを形成したデバイスの製造方法であって、
デバイスは、
ナノワイヤを形成したナノワイヤ形成面を含む第１部材と、
蓋部材として機能する第２部材と、
加熱圧着により第１部材および第２部材に接合する機能を有する均質な材料からなり、且つ、貫通溝を有する第３部材と、
を含み、
製造方法は、
第１部材のナノワイヤ形成面と第２部材の第１面との間に第３部材が位置するように積層する積層工程と、
第１部材と第３部材、および、第２部材と第３部材を加熱圧着により接合することで、第１部材のナノワイヤ形成面と、第２部材の第１面と、第３部材の貫通溝の壁面とで、流路を形成する接合工程と、
を含み、
第２部材の第１面の流路を形成する部分が、非平面領域を含み、
流路内に、第１部材に形成されたナノワイヤと第２部材に形成された非平面領域が配置されている、
デバイスの製造方法。
【請求項２】
第３部材を形成する材料が、第１部材および第２部材を形成する材料と異なる、
請求項１に記載のデバイスの製造方法。
【請求項３】
第３部材が熱可塑性樹脂で形成され、第３部材の融点が、第１部材および第２部材を形成する材料の融点より低い、
請求項１または２に記載のデバイスの製造方法。
【請求項４】
第２部材の第１面の流路を形成しない部分が、略平面状である、
請求項１〜３の何れか一項に記載のデバイスの製造方法。
【請求項５】
第２部材が、
サンプル液投入孔と、
サンプル液回収孔と、
を含み、
サンプル液投入孔の一端が、第２部材の第１面の流路を形成する部分に第１開口部を有し、
サンプル液回収孔の一端が、第２部材の第１面の流路を形成する部分に第２開口部を有する、
請求項１〜４の何れか一項に記載のデバイスの製造方法。
【請求項６】
ナノワイヤを形成したデバイスであって、デバイスは、
ナノワイヤを形成したナノワイヤ形成面を含む第１部材と、
蓋部材として機能する第２部材と、
加熱圧着により第１部材および第２部材に接合する機能を有する均質な材料からなり、且つ、貫通溝を有する第３部材と、
を含み、
第１部材のナノワイヤ形成面と第２部材の第１面との間に第３部材が位置するように積層され、第１部材と第３部材、および、第２部材と第３部材とが接合され、
第１部材のナノワイヤ形成面と、第２部材の第１面と、第３部材の貫通溝の壁面とで、流路が形成され、
第２部材の第１面の流路を形成する部分が、非平面領域を含み、
流路内に、第１部材に形成されたナノワイヤと第２部材に形成された非平面領域が配置されている、
デバイス。
【請求項７】
第３部材を形成する材料が、第１部材および第２部材を形成する材料と異なる、
請求項６に記載のデバイス。
【請求項８】
第３部材が熱可塑性樹脂で形成され、第３部材の融点が、第１部材および第２部材を形成する材料の融点より低い、
請求項６または７に記載のデバイス。
【請求項９】
第２部材の第１面の流路を形成しない部分が、略平面状である、
請求項６〜８の何れか一項に記載のデバイス。
【請求項１０】
第２部材が、
サンプル液投入孔と、
サンプル液回収孔と、
を含み、
サンプル液投入孔の一端が、第２部材の第１面の流路を形成する部分に第１開口部を有し、
サンプル液回収孔の一端が、第２部材の第１面の流路を形成する部分に第２開口部を有する、
請求項６〜９の何れか一項に記載のデバイス。
【発明の詳細な説明】
【技術分野】
【０００１】
本出願における開示は、デバイスの製造方法、および、デバイスに関する。特に、ナノワイヤを形成したデバイスの効率的な製造方法、および、当該製造方法により形成したデバイスに関する。
【背景技術】
【０００２】
ナノワイヤを形成したデバイスを用い、アミノ酸、ペプチド、タンパク質、核酸、細胞外小胞、細胞、ウイルス、菌等のサンプルを捕捉したり、分析することが知られている。
【０００３】
ナノワイヤを形成したデバイスの例としては、基板に流路を形成し、ナノワイヤの一方の端部が流路内に埋め込まれたデバイスが知られている（特許文献１参照）。細胞外小胞体、細菌、核酸等のサンプルは所定の電荷を有する。そのため、特許文献１に記載のデバイスは、ナノワイヤ表面の電荷を調整することで、サンプルをナノワイヤに吸着することができる。
【０００４】
また、ナノワイヤを形成したデバイスの製造方法としては、ナノワイヤを形成した基板に、流路を形成したＰＤＭＳ基板を被せる方法が知られている。更に、当該流路にヘリングボーン構造（ｈｅｒｒｉｎｇｂｏｎｅ  ｓｔｒｕｃｔｕｒｅ）を設けることで、流路内を流れるサンプル液に乱流を発生させ、サンプル液とナノワイヤの接触頻度を高められることも知られている（非特許文献１参照）。
【先行技術文献】
【特許文献】
【０００５】
【特許文献１】国際公開第２０１５／１３７４２７号
【非特許文献】
【０００６】
【非特許文献１】Ｔａｋａｏ  Ｙａｓｕｉ  ｅｔ．  ａｌ．，“Ｕｎｖｅｉｌｉｎｇ  ｍａｓｓｉｖｅ  ｎｕｍｂｅｒｓ  ｏｆ  ｃａｎｃｅｒ−ｒｅｌａｔｅｄ  ｕｒｉｎａｒｙ−ｍｉｃｒｏＲＮＡ  ｃａｎｄｉｄａｔｅｓ  ｖｉａ  ｎａｎｏｗｉｒｅｓ”，  ＳＣＩＥＮＣＥ  ＡＤＶＡＮＣＥＳ，１５  Ｄｅｃ  ２０１７：Ｖｏｌ．３，ｎｏ．１２，ｅ１７０１１３３、ＤＯＩ：１０．１１２６／ｓｃｉａｄｖ．１７０１１３３
【発明の概要】
【発明が解決しようとする課題】
【０００７】
上記特許文献１に記載された発明では、フォトリソグラフィ技術及びエッチング技術を用いて基板に流路を設けている。ところで、流路内に流すサンプル液の単位時間当たりの送液量を変更することがある。しかしながら、流路のサンプル液の流れ方向の断面積（以下、流路のサンプル液の流れ方向の断面積のことを、単に「断面積」と記載することがある。）を変えずに単位時間当たりの送液量を単に多くするのみでは、ナノワイヤに対する圧力が大きくなる。そのため、特許文献１に記載のデバイスを用いて単位時間当たりのサンプル液の送液量を変えるためには、断面積を変えた複数のデバイスを準備する必要がある。ところで、特許文献１に記載のデバイスは、フォトリソグラフィ技術及びエッチング技術を用いて基板に流路を形成している。したがって、特許文献１に記載のデバイスを用いた場合、デバイスを作製する際に、（１）幅の異なるフォトマスクを用いる、及び／又は、（２）エッチングの深さを調整する、ことで断面積が異なるデバイスを複数準備する必要がある。そのため、製造工程が煩雑化し、コストが上昇するという問題がある。
【０００８】
一方、非特許文献１に記載のデバイスの流路は、ナノワイヤを形成した基板とは別の部材であるＰＤＭＳ基板に形成されている。流路付きＰＤＭＳ基板は、鋳型の形状を未硬化のＰＤＭＳに転写し、ＰＤＭＳを硬化することで形成できる。そのため、非特許文献１に記載のデバイスの場合、流路を形成するための鋳型構造の形状（大きさ）を変えることで流路部分の断面積を調整できる。つまり、流路を形成するためには、大きさが異なる複数の鋳型を準備しなければならない。そのため、製造工程が煩雑化し、コストが上昇するという問題がある。
【０００９】
ところで、非特許文献１に記載の流路には、流路内を流れるサンプル液に乱流を発生するためのヘリングボーン構造が形成されている。当該ヘリングボーン構造を形成するためには、鋳型にヘリングボーン構造に対応する鋳型構造を形成する必要がある。そのため、非特許文献１に記載の流路付きＰＤＭＳ基板を作製する際には、流路部分を形成する鋳型構造およびヘリングボーン構造を形成する鋳型構造を、単一の鋳型に形成する必要がある。そのため、流路の断面積は同じでもヘリングボーン構造を変えたい場合、或いは、ヘリングボーン構造は同じでも流路の断面積を変えたい場合、換言すると、流路の断面積およびヘリングボーン構造の何れか一方を変えたい場合であっても、新たに鋳型を作製しなければならないという問題がある。そのため、製造工程が煩雑化し、コストが上昇するという問題がある。
【００１０】
本出願における開示は、上記問題点を解決するためになされたものであり、鋭意研究を行ったところ、（１）ナノワイヤを形成した第１部材と、蓋部材として機能する第２部材とを、（２）加熱圧着による接合機能を有する均質な材料からなり、且つ、貫通溝が形成された第３部材で接合し、（３）貫通溝の壁面と、第１部材のナノワイヤ形成面と、第２部材の第１面とで流路が形成される構造とすると、（４）所望の厚さの第３部材を用いる、および／または、第３部材に形成する貫通溝の幅を調整することで、流路の断面積を簡単に調整できること、（５）そして、第３部材を加熱圧着による接合層として機能させるとともに、流路の構成要素である側壁としても機能させることで、流路の断面積を調整する第３部材と、蓋部材として機能する第２部材とを別部材にできること、（６）その結果、断面積またはヘリングボーン構造等の乱流を発生する構造（以下、「非平面領域」と記載することがある。）の一方のみを変更する場合は、第２部材または第３部材の一方の部材のみを変更すればよいことから、本出願で開示する製造方法により、上記課題が解決できることを見出した。
【００１１】
すなわち、本出願における開示の目的は、加熱圧着により接合機能を有する均質な材料を第３部材として用い、ナノワイヤを形成したデバイスの新たな製造方法、および、該製造方法により製造したデバイスを提供することである。
【課題を解決するための手段】
【００１２】
本出願における開示は、以下に示す、加熱圧着により接合できる接合材料を用いるナノワイヤを形成したデバイスの製造方法、および、ナノワイヤを形成したデバイスに関する。
【００１３】
（１）ナノワイヤを形成したデバイスの製造方法であって、
デバイスは、
ナノワイヤを形成したナノワイヤ形成面を含む第１部材と、
蓋部材として機能する第２部材と、
加熱圧着により第１部材および第２部材に接合する機能を有する均質な材料からなり、且つ、貫通溝を有する第３部材と、
を含み、
製造方法は、
第１部材のナノワイヤ形成面と第２部材の第１面との間に第３部材が位置するように積層する積層工程と、
第１部材と第３部材、および、第２部材と第３部材を加熱圧着により接合することで、第１部材のナノワイヤ形成面と、第２部材の第１面と、第３部材の貫通溝の壁面とで、流路を形成する接合工程と、
を含み、
第２部材の第１面の流路を形成する部分が、非平面領域を含み、
流路内に、第１部材に形成されたナノワイヤと第２部材に形成された非平面領域が配置されている、
デバイスの製造方法。
（２）第３部材を形成する材料が、第１部材および第２部材を形成する材料と異なる、
上記（１）に記載のデバイスの製造方法。
（３）第３部材が熱可塑性樹脂で形成され、第３部材の融点が、第１部材および第２部材を形成する材料の融点より低い、
上記（１）または（２）に記載のデバイスの製造方法。
（４）第２部材の第１面の流路を形成しない部分が、略平面状である、
上記（１）〜（３）の何れか一つに記載のデバイスの製造方法。
（５）第２部材が、
サンプル液投入孔と、
サンプル液回収孔と、
を含み、
サンプル液投入孔の一端が、第２部材の第１面の流路を形成する部分に第１開口部を有し、
サンプル液回収孔の一端が、第２部材の第１面の流路を形成する部分に第２開口部を有する、
上記（１）〜（４）の何れか一つに記載のデバイスの製造方法。
（６）ナノワイヤを形成したデバイスであって、デバイスは、
ナノワイヤを形成したナノワイヤ形成面を含む第１部材と、
蓋部材として機能する第２部材と、
加熱圧着により第１部材および第２部材に接合する機能を有する均質な材料からなり、且つ、貫通溝を有する第３部材と、
を含み、
第１部材のナノワイヤ形成面と第２部材の第１面との間に第３部材が位置するように積層され、第１部材と第３部材、および、第２部材と第３部材とが接合され、
第１部材のナノワイヤ形成面と、第２部材の第１面と、第３部材の貫通溝の壁面とで、流路が形成され、
第２部材の第１面の流路を形成する部分が、非平面領域を含み、
流路内に、第１部材に形成されたナノワイヤと第２部材に形成された非平面領域が配置されている、
デバイス。
（７）第３部材を形成する材料が、第１部材および第２部材を形成する材料と異なる、
上記（６）に記載のデバイス。
（８）第３部材が熱可塑性樹脂で形成され、第３部材の融点が、第１部材および第２部材を形成する材料の融点より低い、
上記（６）または（７）に記載のデバイス。
（９）第２部材の第１面の流路を形成しない部分が、略平面状である、
上記（６）〜（８）の何れか一つに記載のデバイス。
（１０）第２部材が、
サンプル液投入孔と、
サンプル液回収孔と、
を含み、
サンプル液投入孔の一端が、第２部材の第１面の流路を形成する部分に第１開口部を有し、
サンプル液回収孔の一端が、第２部材の第１面の流路を形成する部分に第２開口部を有する、
上記（６）〜（９）の何れか一つに記載のデバイス。
【発明の効果】
【００１４】
本発明に係るデバイスは、第１部材と第２部材との間に、加熱圧着による接合機能を有する均質な材料からなり、且つ貫通溝を有する第３部材を配置し、加熱圧着処理を行うことで、第３部材の貫通溝の壁面、第１部材のナノワイヤ形成面、および、第２部材の第１面とで強固な流路を形成できる。したがって、製造方法の利便性が向上するとともに、高強度で液漏れのない流路ができ、流路の断面積または非平面領域の一方のみを変更する場合の利便性も向上する。
【図面の簡単な説明】
【００１５】
【図１】図１Ａはデバイス１の概略を示す分解斜視図、図１Ｂはデバイスを構成する第１部材乃至第３部材を積層した時の、図１ＡのＸ−Ｘ’方向の断面図である。
【図２】図２は、第１部材２のナノワイヤ形成面２１にナノワイヤ５を形成する工程の一例を説明するための図である。
【図３】図３は、非特許文献２に記載のデバイスの概略断面図である。
【発明を実施するための形態】
【００１６】
以下、図面を参照しつつ、ナノワイヤを形成したデバイス（以下、単に「デバイス」と記載することがある。）１の各実施形態について、詳しく説明する。なお、本明細書において、同種の機能を有する部材には、同一または類似の符号が付されている。そして、同一または類似の符号の付された部材について、繰り返しとなる説明が省略される場合がある。
【００１７】
（デバイス１の実施形態、デバイス１の製造方法の実施形態）
図１Ａおよび図１Ｂを参照して、デバイス１の実施形態、および、デバイス１の製造方法の実施形態について説明する。図１Ａはデバイス１の概略を示す分解斜視図、図１Ｂはデバイスを構成する第１部材乃至第３部材を積層した時の、図１ＡのＸ−Ｘ’方向の断面図である。デバイス１は、ナノワイヤ５が形成された第１部材２と、蓋部材として機能する第２部材３と、第１部材２と第２部材３との間に配置され、流路を形成する貫通溝４１を有し、加熱圧着による接合機能を有する均質な材料からなる第３部材４と、を含んでいる。ナノワイヤ５は、第１部材２のナノワイヤ形成面２１に形成されている。なお、非平面領域３５およびナノワイヤ５は、流路を形成する部分に形成されていればよい。
【００１８】
第２部材３は、第３部材４と接合する側の面である第１面３１と、第１面３１の反対側の面である第２面３２を有している。そして、第３部材４には、第１部材２のナノワイヤ形成面２１に接合する接合第１面４３と第２部材３の第１面３１に接合する接合第２面４４を有し、接合第１面４３から接合第２面４４の方向に第３部材４を貫通する貫通溝４１が形成されている。したがって、第１部材２、第３部材４、および、第２部材３の順に積層した時に、第１部材２のナノワイヤ形成面２１と、第２部材３の第１面３１と、貫通溝４１の周囲の壁面４２とで、流路６が形成される。
【００１９】
デバイス１は、必要に応じて、サンプル液投入孔３３、サンプル液回収孔３４を含んでいてもよい。サンプル液投入孔３３は、第２部材３の第２面３２から第１面３１に貫通するように形成され、サンプル液投入孔３３の一端は、第２部材３の第１面３１の流路６を形成する部分に第１開口部３３１を有してる。また、サンプル液回収孔３４は、第２部材３の第２面３２から第１面３１に貫通するように形成され、サンプル液回収孔３４の一端は、第２部材３の第１面３１の流路６を形成する部分に第２開口部３４１を有する。なお、図１Ａは、サンプル液投入孔３３、および、サンプル液回収孔３４は、第２部材３に形成した例を示している。代替的に、図示は省略するが、第３部材４の貫通溝４１の一部を延伸し、第１部材２と第２部材３との間に挟まれる第３部材４の第３面４５に、サンプル液投入孔、または、サンプル液回収孔が開口するように形成してもよい。また、第３部材４の第３面４５とは反対側の面に、サンプル液投入孔、または、サンプル液回収孔が開口するように形成してもよい。
【００２０】
図２は、第１部材２のナノワイヤ形成面２１にナノワイヤ５を形成する工程の一例を説明するための図である。なお、図２は、図１ＡのＸ−Ｘ’方向の断面図を表している。
（１）第１部材２
第１部材２は、ナノワイヤ５が成長でき、後述する第３部材４と加熱圧着により接合できる材料であれば、特に制限はない。ナノワイヤ５は、第１部材２の一つの面（ナノワイヤ形成面２１）に形成されていれば、形成方法に特に制限はない。
【００２１】
第１部材２は、一部又は全部が、有機材料で形成されていてもよい。第１部材は、高分子材料で形成されていてもよい。高分子材料は、天然樹脂であってもよく、合成樹脂であってもよく、それらの混合物であってもよい。合成樹脂は、熱硬化性樹脂であってもよく、熱可塑性樹脂であってもよい。熱硬化性樹脂は、エポキシ樹脂（ＥＰ）、メラミン樹脂（ＭＦ）、尿素樹脂（ユリア樹脂、ＵＦ）、熱硬化性ポリイミド（ＰＩ）であってもよい。
【００２２】
熱可塑性樹脂は、ポリスチレン（ＰＳ）、ポリ酢酸ビニル（ＰＶＡｃ）、ポリウレタン（ＰＵＲ）、アクリル樹脂（ＰＭＭＡ）などの汎用プラスチックであってもよく；ポリアミド（ＰＡ）、ポリアセタール（ＰＯＭ）、変性ポリフェニレンエーテル（ｍ−ＰＰＥ、変性ＰＰＥ、ＰＰＯ）、ポリエチレンテレフタレート（ＰＥＴ）、などエンジニアリングプラスチックであってもよく；熱可塑性ポリイミド（ＰＩ）、ポリアミドイミド（ＰＡＩ）などのスーパーエンジニアリングプラスチックであってもよい。
【００２３】
（２）ナノワイヤ５の形成
ナノワイヤ５は、公知の方法で成長させればよい。具体的には、硝酸亜鉛六水和物（Ｚｎ（ＮＯ3）2・６Ｈ2Ｏ）、ヘキサメチレンテトラミン（Ｃ6Ｈ12Ｎ4）を脱イオン水に溶解した前駆体溶液に、加熱した第１部材２を浸漬させることで、ＺｎＯナノワイヤ５を成長させることができる。
【００２４】
ナノワイヤ５の直径は、硝酸亜鉛六水和物の濃度調整、ヘキサメチレンテトラミンの濃度調整、等により調整できる。
【００２５】
第２部材３は、蓋部材として機能する。また、第２部材３の第１面３１の流路６を構成する部分の少なくとも一部には、流路６を流れるサンプル液に乱流を発生させ、ナノワイヤ５にサンプルを接触し易くするための非平面領域３５が形成されている。図１Ｂに示す例では、第２部材３の第１面３１から第２部材３の内部方向に形成した凹部で非平面領域３５を形成しているが、非平面領域３５は、表面を非平面とすることでサンプル液の流れに乱流を発生できれば特に制限はない。例えば、第１面３１から流路６内に突出する凸部で形成してもよいし、凹部と凸部を組み合わせて形成してもよい。また、非平面領域３５の形状は、非特許文献２に記載のへリングボーン構造としてもよいし、その他の構造としてもよい。
【００２６】
第２部材３の第１面３１への非平面領域３５の形成方法は、第１面３１を非平面にできれば特に制限はない。例えば、鋳型による転写、エッチング、切削、めっき等による付加等の方法から適宜選択すればよい。また、サンプル液投入孔３３およびサンプル液回収孔３４を形成する場合は、非平面領域３５の形成前後に、ドリル等で孔を形成すればよい。或いは、エッチングにより非平面領域３５を形成する場合には、サンプル液投入孔３３およびサンプル液回収孔３４以外の部分をレジストで保護し、エッチングによりサンプル液投入孔３３およびサンプル液回収孔３４を形成してもよい。なお、第１面３１の流路を形成しない部分は、略平面状であることが望ましい。流路６を形成する部分以外の第１面３１を略平面とすることで、後述する第３部材４と接合し易くなる。
【００２７】
第２部材３は、後述する第３部材４と加熱圧着により接合できる材料で形成されていれば良い。
【００２８】
ところで、図３に示すように、非特許文献２に記載のデバイスは、鋳型を転写することで形成したカバー部材９と、第１部材２のナノワイヤ形成面２１とで、流路６ａを形成している。したがって、鋳型を転写後の非平面領域３５ａは、凹部形状のカバー部材９の底面部分９ａに位置することになる。そのため、形成した非平面領域３５ａに、追加の処理を施したい場合、凹部形状のカバー部材９の壁部分９ｂが邪魔になり、追加の処理が難しいという問題がある。その結果、非平面領域３５の形状は、鋳型の形状に依存するという問題がある。
【００２９】
一方、本出願で開示するデバイス１は、蓋部材として機能する第２部材３と流路６の断面積を規定する第３部材４を別部材としている。したがって、第２部材３自体に流路６を形成する必要がないことから、第１面３１を略平面状にできる。そのため、フォトリソグラフィの繰り返し実施や、めっき等による所望の材料の付加等が容易になる。したがって、非平面領域３５を形成する際に、エッチングを繰り返す、めっき等による材料の付加を繰り返す、或いは、エッチングおよびめっきを組み合わせる等の処理により、例えば、３次元網目構造を有する非表面領域３５の形成も可能である。したがって、本出願で開示するデバイスは、製造工程の利便性が向上し、製造工程を簡略化することで製造コストが下がるという効果に加え、非平面領域３５の設計の自由度が大幅に向上するという、複合的な効果を奏する。
【００３０】
第３部材４は、第１部材２および第２部材３と加熱圧着により接合する機能を有する均質な材料からなり、且つ、貫通溝４１を形成できる材料で形成されている。例えば、第３部材４は、熱による軟化する公知の接合剤層等からなっている。より具体的には、アクリルの熱可塑性樹脂が挙げられる。また、この接合剤は、接着力が約１０Ｎ／ｃｍ程度となる材料が望ましい。当該材料を用いることで、第３部材４の貫通溝４１の壁面４２、第１部材２のナノワイヤ形成面２１、および、第２部材３の第１面２１とで、液漏れのない強固な流路６を形成できる。第１部材２、および、第２部材３にも熱可塑性樹脂を用いる場合は、第３部材４の熱可塑性樹脂の融点が、第１部材２、および、第２部材３の融点より低い材料から選択すればよい。なお、アクリルシートは複数の膜厚（６０μｍ、１００μｍなど）が市販されており、流路の高さの調整が容易である。
【００３１】
なお、図１に示す例では、貫通溝４１を一つ形成した例が記載されている。代替的に、貫通溝４１を２以上形成してもよい。貫通溝４１を２以上形成する場合は、第１部材２、第３部材４、および、第２部材３を積層した際に、貫通溝４１が位置する部分にナノワイヤ５が配置できるように調整すればよい。
【００３２】
デバイス１は、以下の手順により製造することができる。
（１）ナノワイヤ形成面２１にナノワイヤ５を形成した第１部材を準備する。第１面３１に非平面領域３５を形成した第２部材３を準備する。貫通溝４１を形成した第３部材４を準備する（構成部材準備工程）。
（２）第１部材２のナノワイヤ形成面２１と、第２部材３の第１面３１との間に、第３部材４が位置するように積層する（積層工程）。より具体的には、第１部材２のナノワイヤ形成面２１と第３部材４の接合第１面４３を直に接触させ、かつ、ナノワイヤ５と非平面領域３５が、貫通溝４１内に配置されるようにする。また、第２部材３の第１面３１と第３部材４の接合第２面４４を直に接触させる。
（３）第３部材４を形成する材料である熱可塑性樹脂の融点付近の温度に加熱し、圧力を加えることで、第１部材２のナノワイヤ形成面２１と第３部材４の接合第１面４３を直に接合させ、第２部材３の第１面３１と第３部材４の接合第２面４４を直に接合させる（接合工程）。たとえば、第３部材４にアクリルシートを用いる場合、１５０℃、１０分、１ＭＰａなどが良い。以上の手順により、デバイス１を製造できる。
【００３３】
（デバイス１の使用方法）
デバイス１は、従来のナノワイヤを形成したデバイスと同様、サンプル液中のサンプルの捕捉、分離、分析等に用いることができる。例えば、細胞外小胞の分析をする場合は、シリンジポンプ等を用いて細胞外小胞を含有するサンプル液（培養液、血清・尿等の体液など）をサンプル液投入孔３３から送液し、サンプル回収孔３４から細胞外小胞を分離後の溶液を回収する。そして、サンプル液を流し終わった後は、ナノワイヤに吸着した細胞外小胞の破砕液をサンプル投入孔３３から送液し、細胞外小胞破砕液をサンプル回収孔３４から回収する。そして、回収した細胞外小胞破砕液に含まれるｍｉＲＮＡ等の分析を行えばよい。
【００３４】
以下に、実施形態のより詳しい一例を掲げ、本出願で開示する実施形態を具体的に説明するが、本出願で開示する発明の範囲を限定したり、あるいは制限することを表すものではない。
【００３５】
〔デバイスの作製〕
以下の手順により、デバイス１を作製することができる。
＜第１部材２の作製＞
ポリイミド樹脂製の基板（第１部材２）の表面にナノワイヤを成長する。
【００３６】
＜第２部材３の作製＞
ポリイミド樹脂製の基板（第２部材３）の表面に、リソグラフィー技術よりパターンを形成し、エッチング法によりポリイミド樹脂に非平面領域を形成する。
【００３７】
＜第３部材４の作製＞
第３部材４として、膜厚１００μｍのアクリルシートを用いる。なお、貫通溝の幅は、例えば、約２ｍｍ、長さは２０ｍｍとなるように形成すれば良い。
【００３８】
＜加熱圧着による接合＞
第１部材のナノワイヤ形成面と、第２部材の第１面（非平面領域の形成面）との間に、第３部材が位置するように積層する。より具体的には、第１部材２のナノワイヤ形成面２１と第３部材４の接合第１面４３を直に接触させ、かつ、ナノワイヤ５と非平面領域３５が、貫通溝４１内に配置されるようにする。次いで、ホットプレス装置を用い、１５０℃、１０分、１ＭＰａの条件で加熱圧着することで、第１部材、第３部材、第２部材を接合する。次いで、貫通溝を一つ含むように切断する。以上によりデバイス１を作製することができる。
【産業上の利用可能性】
【００３９】
本出願で開示するデバイスは、製造方法の利便性が向上し、安価で大量生産が可能である。したがって、医療機関、大学、企業、研究機関等において、サンプルの分析に有用である。
【符号の説明】
【００４０】
１…デバイス、２…第１部材、３…第２部材、４…第３部材、５…ナノワイヤ、６、６ａ…流路、９…カバー部材、９ａ…カバー部材の底面部分、９ｂ…カバー部材の壁部分、２１…ナノワイヤ形成面、３１…第１面、３２…第２面、３３…サンプル液投入孔、３４…サンプル液回収孔、３５、３５ａ…非平面領域、４１…貫通溝、４２…貫通溝の壁面、４３…接合第１面、４４…接合第２面、４５…第３面、３３１…第１開口部、３４１…第２開口部
【図１】
2020148739.tif 000003
【図２】
2020148739.tif 000004
【図３】
2020148739.tif 000005